(57)【特許請求の範囲】
【請求項１】
複数のデジタル入力端子と、
映像信号を受信する信号受信部と、
上記複数のデジタル入力端子を上記信号受信部に選択的に接続するスイッチ部とを備え、
上記信号受信部は、上記スイッチ部で選択されたデジタル入力端子に伝送路を介して接続された外部機器との間で互いに認証を行った後に、該外部機器から映像信号を受信する受信装置であって、
周期的に、少なくとも、上記複数のデジタル入力端子における上記外部機器の接続情報およびユーザの画像表示のための映像信号の選択情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する優先順位判断部と、
上記優先順位判断部で最も優先順位が高いと判断されたデジタル入力端子が上記信号受信部に接続されるように上記スイッチ部を制御する制御部と
を備えることを特徴とする受信装置。
【請求項２】
上記優先順位判断部は、
周期的に、上記複数のデジタル入力端子における上記外部機器の接続情報およびユーザの画像表示のための映像信号の選択情報と共に、上記信号受信部と互いに認証されている外部機器の接続端子情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する
ことを特徴とする請求項１に記載の受信装置。
【請求項３】
上記優先順位判断部は、
周期的に、上記複数のデジタル入力端子における上記外部機器の接続情報およびユーザの画像表示のための映像信号の選択情報と共に、最後に電源がオンとされた外部機器の接続端子情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する
ことを特徴とする請求項１に記載の受信装置。
【請求項４】
上記優先順位判断部は、
周期的に、上記複数のデジタル入力端子における上記外部機器の接続情報およびユーザの画像表示のための映像信号の選択情報と共に、上記複数のデジタル入力端子に接続されている外部機器の種類に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する
ことを特徴とする請求項１に記載の受信装置。
【請求項５】
上記優先順位判断部は、
上記外部機器から送信される映像信号のフォーマットに基づいて、該外部機器の種類を判別する
ことを特徴とする請求項４に記載の受信装置。
【請求項６】
上記優先順位判断部は、
上記外部機器から送信された映像信号のブランキング期間に挿入された機器種類情報に基づいて、該外部機器の種類を判別する
ことを特徴とする請求項４に記載の受信装置。
【請求項７】
上記優先順位判断部は、
上記外部機器から送信された映像信号のブランキング期間に挿入されたコンテンツ識別情報に基づいて、該外部機器の種類を判別する
ことを特徴とする請求項４に記載の受信装置
【請求項８】
上記優先順位判断部は、
周期的に、上記複数のデジタル入力端子における上記外部機器の接続情報およびユーザの画像表示のための映像信号の選択情報と共に、上記外部機器から送信されるベンダー情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する
ことを特徴とする請求項１に記載の受信装置。
【請求項９】
上記優先順位判断部は、
周期的に、上記複数のデジタル入力端子における上記外部機器の接続情報およびユーザの画像表示のための映像信号の選択情報と共に、ユーザが選択した所定の外部機器の情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する
ことを特徴とする請求項１に記載の受信装置
【請求項１０】
上記信号受信部は、上記外部機器から、上記映像信号を、複数のチャネルで、差動信号により、受信する
ことを特徴とする請求項１に記載の受信装置。
【請求項１１】
上記伝送路を構成する所定ラインを用いて、上記複数のデジタル入力端子に上記伝送路を介して接続された外部機器との間で双方向通信を行う通信部をさらに備える
ことを特徴とする請求項１に記載の受信装置。
【請求項１２】
上記伝送路はＨＤＭＩケーブルであり、
上記所定ラインは、上記ＨＤＭＩケーブルを構成するリザーブラインおよびＨＰＤラインである
ことを特徴とする請求項１１に記載の受信装置。
【請求項１３】
複数のデジタル入力端子と、
映像信号を受信する信号受信部と、
上記複数のデジタル入力端子を上記信号受信部に選択的に接続するスイッチ部とを備え、
上記信号受信部は、上記スイッチ部で選択されたデジタル入力端子に伝送路を介して接続された外部機器との間で互いに認証を行った後に、該外部機器から映像信号を受信する受信装置における入力切換制御方法であって、
周期的に、少なくとも、上記複数のデジタル入力端子における上記外部機器の接続情報およびユーザの画像表示のための映像信号の選択情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する優先順位判断ステップと、
上記優先順位判断ステップで最も優先順位が高いと判断されたデジタル入力端子が上記信号受信部に接続されるように上記スイッチ部を制御する制御ステップと
を有することを特徴とする受信装置における入力切換制御方法。
【発明の詳細な説明】
【技術分野】
【０００１】
この発明は、例えば、複数のＨＤＭＩ(High Definition Multimedia Interface)端子を持つテレビ受信機等の受信装置およびその入力切換制御方法に関する。詳しくは、この発明は、外部機器の接続情報、画像表示映像信号の選択情報等に基づいて周期的に複数のデジタル入力端子の優先順位を判断し、最も優先順位が高いデジタル入力端子に信号受信部を接続することにより、外部機器との間の認証を効率的に行って出画時間を早めるようにした受信装置等に係るものである。
【背景技術】
【０００２】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、非圧縮（ベースバンド）の映像信号（以下、「画像データ」という）と、その映像信号に付随するデジタル音声信号（以下、「音声データ」という）とを、高速に伝送する通信インタフェースとして、ＨＤＭＩ(High Definition Multimedia Interface)が普及しつつある。例えば、特許文献１には、ＨＤＭＩ規格の詳細についての記載がある。
【特許文献１】ＷＯ２００２／０７８３３６号公報
【発明の開示】
【発明が解決しようとする課題】
【０００３】
近年、ＨＤＭＩはテレビ受信機における優先度の高いフィーチャーであり、テレビ受信機に備えられるＨＤＭＩ端子の数は大きな意味を持ち、その数は２以上が普通となっている。
【０００４】
ＨＤＭＩ端子を備えるテレビ受信機は、その内部に信号受信部としてのＨＤＭＩレシーバ（ＨＤＭＩ受信部）を備える必要がある。ＨＤＭＩ端子の数だけＨＤＭＩレシーバを備えることは、当該ＨＤＭＩレシーバのチップコストが非常に高いことからコスト競争上不可能であり、また、制御ソフトウェアの負荷が増えるという問題もある。
【０００５】
そこで従来、ＨＤＭＩスイッチャを用いて、１つのＨＤＭＩレシーバを複数のＨＤＭＩ端子に対して適宜切り換えて使用することが提案されている。しかしこの場合、ＨＤＭＩレシーバに接続されるＨＤＭＩ端子を切り換えた後、当該ＨＤＭＩレシーバとＨＤＭＩ端子に接続されているソース機器との間で互いに認証する処理が開始される。ＨＤＭＩレシーバは認証処理後にソース機器から映像信号を受信する状態となるため、出画時間が遅くなるという問題があった。
【０００６】
この発明の目的は、外部機器との間の認証を効率的に行って出画時間を早めることにある。
【課題を解決するための手段】
【０００７】
この発明の概念は、
複数のデジタル入力端子と、
映像信号を受信する信号受信部と、
上記複数のデジタル入力端子を上記信号受信部に選択的に接続するスイッチ部とを備え、
上記信号受信部は、上記スイッチ部で選択されたデジタル入力端子に伝送路を介して接続された外部機器との間で互いに認証を行った後に、該外部機器から映像信号を受信する受信装置であって、
周期的に、少なくとも、上記複数のデジタル入力端子における上記外部機器の接続情報およびユーザの画像表示のための映像信号の選択情報に基づいて、上記複数のデジタル入力端子のそれぞれについて、該複数のデジタル入力端子を上記信号受信部に接続する優先順位を判断するための優先順位ポイントを算出し、該算出された各デジタル入力端子の優先順位ポイントにより上記複数のデジタル入力端子の優先順位を判断する優先順位判断部と、
上記優先順位判断部で最も優先順位が高いと判断されたデジタル入力端子が上記信号受信部に接続されるように上記スイッチ部を制御する制御部と
を備えることを特徴とする受信装置にある。
【０００８】
この発明においては、複数のデジタル入力端子が、スイッチ部を介して、信号受信部に接続されている。スイッチ部で選択されたデジタル入力端子と信号受信部との間で互いに認証が行われ、その後に外部機器から信号受信部に映像信号が送られてくる。この場合、外部機器から信号受信部には、例えば、映像信号が、複数のチャネルで、差動信号により送られてくる。また、信号受信部と外部機器との間の通信は、例えば、伝送路を構成する所定ラインを用いた双方向通信の通信部により行われる。伝送路がＨＤＭＩケーブルであるとき、所定ラインとしては、例えばＨＤＭＩケーブルを構成するリザーブラインおよびＨＰＤラインが用いられる。
【０００９】
周期的に、以下のことが行われる。すなわち、少なくとも、複数のデジタル入力端子における外部機器の接続情報およびユーザの画像表示のための映像信号の選択情報に基づいて、複数のデジタル入力端子のそれぞれについて、該複数のデジタル入力端子を上記信号受信部に接続する優先順位を判断するための優先順位ポイントが算出される。そして、この算出された各デジタル入力端子の優先順位ポイントにより複数のデジタル入力端子の優先順位が判断される。そして、最も優先順位が高いと判断されたデジタル入力端子が信号受信部に接続されるようにスイッチ部が制御される。
【００１０】
これにより、外部機器との間の認証が効率的に行われるようになり、出画時間が早められる。例えば、あるデジタル入力端子に接続されている外部機器からの映像信号による画像表示が行われている状態で、当該外部機器の電源がオフとされる場合、信号受信部は直ちに他のデジタル入力端子に接続され、当該他のデジタル入力端子に接続されている外部機器との間で認証処理を開始する。そのため、その後に、ユーザが当該他のデジタル入力端子に接続されている外部機器からの映像信号を画像表示映像信号に選択した場合に出画時間が早くなる。
【００１１】
この発明において、例えば、優先順位判断部は、複数のデジタル入力端子における外部機器の接続情報およびユーザの画像表示のための映像信号の選択情報と共に、信号受信部と互いに認証されている外部機器の接続端子情報に基づいて、周期的に、複数のデジタル入力端子の優先順位を判断する、ようにされてもよい。
【００１２】
この場合、例えば、あるデジタル入力端子に接続されている外部機器からの映像信号による画像表示が行われている状態で、ユーザがアナログ入力端子あるいは内蔵チューナからの映像信号を画像表示映像信号に選択したとき、信号受信部は依然として当該あるデジタル入力端子に接続されている外部機器との間の認証状態を保持しているので、その後に、ユーザが当該あるデジタル入力端子に接続されている外部機器からの映像信号を画像表示映像信号に選択した場合に出画時間が早くなる。
【００１３】
また、この発明において、例えば、優先順位判断部は、複数のデジタル入力端子における外部機器の接続情報およびユーザの画像表示のための映像信号の選択情報と共に、最後に電源がオンとされた外部機器の接続端子情報に基づいて、周期的に、複数のデジタル入力端子の優先順位を判断する、ようにされてもよい。
【００１４】
この場合、例えば、アナログ入力端子あるいは内蔵チューナからの映像信号による画像が表示されている状態で、ある外部機器の電源がオンとされるとき、信号受信部は、当該ある外部機器が接続されたデジタル入力端子に接続され、当該ある外部機器との間で認証処理を開始する。そのため、その後に、ユーザが当該ある外部機器からの映像信号を画像表示映像信号に選択した場合に出画時間が早くなる。
【００１５】
また、この発明において、優先順位判断部は、複数のデジタル入力端子における外部機器の接続情報およびユーザの画像表示のための映像信号の選択情報と共に、複数のデジタル入力端子に接続されている外部機器の種類に基づいて、周期的に、複数のデジタル入力端子の優先順位を判断する、ようにされてもよい。
【００１６】
この場合、例えば、アナログ入力端子あるいは内蔵チューナからの映像信号による画像が表示されている状態で、信号受信部は、例えばパーソナルコンピュータ等の情報端末が接続されたデジタル入力端子に接続され、当該情報端末との間で認証処理を開始する。そのため、その後に、ユーザが当該情報端末からの映像信号を画像表示映像信号に選択した場合に出画時間が早くなる。
【００１７】
例えば、優先順位判断部では、外部機器の種類が、外部機器から送信される映像信号のフォーマットに基づいて判別される。例えば、映像信号フォーマットが、例えば、ＥＩＡ／ＣＥＡ規格で規定されているフォーマットでないとき、外部機器は情報端末であると判断する。また、例えば、映像信号のブランキング期間に挿入された機器種類情報に基づいて、外部機器の種類が判別される。また、例えば、映像信号のブランキング期間に挿入されたコンテンツ識別情報に基づいて、外部機器の種類が判別される。
【００１８】
また、この発明において、優先順位判断部は、複数のデジタル入力端子における外部機器の接続情報およびユーザの画像表示のための映像信号の選択情報と共に、外部機器から送信されるベンダー情報に基づいて、周期的に、複数のデジタル入力端子の優先順位を判断する、ようにされてもよい。
【００１９】
この場合、例えば、アナログ入力端子あるいは内蔵チューナからの映像信号による画像が表示されている状態で、信号受信部は、特定のベンダーの外部機器が接続されたデジタル入力端子に接続され、当該特定のベンダーの外部機器との間で認証処理を開始する。そのため、その後に、ユーザが当該特定のベンダーの外部機器からの映像信号を画像表示映像信号に選択した場合に出画時間が早くなる。
【００２０】
また、この発明において、優先順位判断部は、複数のデジタル入力端子における外部機器の接続情報およびユーザの画像表示のための映像信号の選択情報と共に、ユーザが選択した所定の外部機器の情報に基づいて、周期的に、複数のデジタル入力端子の優先順位を判断する、ようにされてよい。
【００２１】
この場合、例えば、アナログ入力端子あるいは内蔵チューナからの映像信号による画像が表示されている状態で、信号受信部は、ユーザが選択した所定の外部機器が接続されたデジタル入力端子に接続され、当該所定の外部機器との間で認証処理を開始する。そのため、その後に、ユーザが当該所定の外部機器からの映像信号を画像表示映像信号に選択した場合に出画時間が早くなる。
【発明の効果】
【００２２】
この発明によれば、外部機器の接続情報、画像表示映像信号の選択情報等に基づいて周期的に複数のデジタル入力端子の優先順位を判断し、最も優先順位が高いデジタル入力端子に信号受信部を接続するものであり、外部機器との間の認証を効率的に行って出画時間を早めることができる。
【発明を実施するための最良の形態】
【００２３】
以下、図面を参照しながら、この発明の実施の形態について説明する。図１は、実施の形態としてのＡＶ（Audio Visual）システム１００の構成例を示している。
【００２４】
ＡＶシステム１００は、ソース機器としてのＤＶＤ（Digital Versatile Disc）レコーダ１１０Ａ、ゲーム機１１０ＢおよびＢＤ（Blu-ray Disc）レコーダ１１０Ｃがシンク機器としてのテレビ受信機１２０に接続された構成とされている。
【００２５】
テレビ受信機１２０には、ＨＤＭＩ端子１２１ａ、ＨＤＭＩ端子１２１ｂ、ＨＤＭＩ端子１２１ｃが設けられている。また、ＤＶＤレコーダ１１０Ａには、ＨＤＭＩ送信部（ＨＤＭＩＴＸ）１１２および高速データラインインタフェース（Ｉ／Ｆ）１１３が接続されたＨＤＭＩ端子１１１ａが設けられている。ＤＶＤレコーダ１１０Ａとテレビ受信機１２０との接続は、ＨＤＭＩケーブル１３０ａの一端がＨＤＭＩ端子１１１ａに接続され、当該ＨＤＭＩケーブル１３０ａの他端がＨＤＭＩ端子１２１ａに接続されることで行われている。
【００２６】
同様に、ゲーム機１１０ＢにはＨＤＭＩ送信部（図示せず）および高速データラインインタフェース（図示せず）が接続されたＨＤＭＩ端子１１１ｂが設けられ、ＢＤレコーダ１１０ＣにはＨＤＭＩ送信部（図示せず）および高速データラインインタフェース（図示せず）が接続されたＨＤＭＩ端子１１１ｃが設けられている。ゲーム機１１０Ｂとテレビ受信機１２０との接続は、ＨＤＭＩケーブル１３０ｂの一端がＨＤＭＩ端子１１１ｂに接続され、当該ＨＤＭＩケーブル１３０ｂの他端がＨＤＭＩ端子１２１ｂに接続されることで行われている。また、ゲーム機１１０Ｃとテレビ受信機１２０との接続は、ＨＤＭＩケーブル１３０ｃの一端がＨＤＭＩ端子１１１ｃに接続され、当該ＨＤＭＩケーブル１３０ｃの他端がＨＤＭＩ端子１２１ｃに接続されることで行われている。
【００２７】
テレビ受信機１２０の構成について説明する。このテレビ受信機１２０は、ＨＤＭＩ入力端子１２１ａ〜１２１ｃと、制御部１２２と、ユーザ操作部１２３と、ＨＤＭＩスイッチャ（ＨＤＭＩＳＷ）１２４と、ＨＤＭＩ受信部（ＨＤＭＩレシーバ：ＨＤＭＩ Ｒｘ）１２５と、高速データラインインタフェース１２６と、アナログ音声入力端子１２７-1〜１２７-nと、アナログ映像入力端子１２８-1〜１２８-nと、ビデオ・オーディオスイッチャ（Ｖ・Ａ ＳＷ）１２９と、アンテナ端子１３０と、チューナ１３１と、映像信号処理部１３２と、表示パネル１３３と、音声信号処理部１３４と、スピーカ１３５とを有している。
【００２８】
制御部１２２は、テレビ受信機１２０の各部の動作を制御する。ユーザ操作部１２３は、ユーザインタフェースを構成し、制御部１２２に接続されている。ユーザ操作部１２２は、テレビ受信機１２０の図示しない筐体に配置されたキー、釦、ダイアル、あるいはリモコンの送受信機等で構成されている。制御部１２２は、ＤＲＡＭ１２２ａを有している。このＤＲＡＭ１２２ａには、ＨＤＭＩ端子１２１ａ〜１２１ｃへの外部機器（ソース機器）の接続情報、ユーザの画像表示映像信号の選択情報、最後に電源がオンとされた外部機器の接続端子情報、ＨＤＭＩ端子１２１ａ〜１２１ｃに接続された外部機器の種類情報、ＨＤＭＩ端子１２１ａ〜１２１ｃに接続された外部機器から送信されるベンダー情報、ユーザが選択した所定の外部機器（ソース機器）の情報等が記憶される。
【００２９】
ここで、ＨＤＭＩ端子１２１ａ〜１２１ｃへの外部機器の接続情報とは、ＨＤＭＩ端子１２１ａ〜１２１ｃのうちどの端子に外部機器が電源オンの状態で接続されているかという情報である。制御部１２２は、ＨＤＭＩ端子１２１ａ〜１２１ｃに外部機器が電源オンの状態で接続されている場合、その１９ピン（ＨＰＤピン）の電圧が高くなることから、ＨＤＭＩ端子１２１ａ〜１２１ｃの１９ピンの電圧を監視することで、当該接続情報を得ることができる。
【００３０】
また、ユーザの画像表示映像信号の選択情報とは、ユーザが表示パネル１３３に画像を表示するための映像信号としてどの映像信号を選択したかという情報である。ユーザは、ＨＤＭＩ端子１２１ａ〜１２１ｃに接続される外部機器（ソース機器）から出力される映像信号、アナログ映像入力端子１２８-1〜１２８-nに入力される映像信号、チューナ１３１で得られる映像信号のいずれかを選択できる。
【００３１】
また、最後に電源がオンとされた外部機器の接続情報とは、ＨＤＭＩ端子１２１ａ〜１２１ｃに接続された外部機器（ソース機器）のうち電源が最後にオンとされた外部機器が接続されたＨＤＭＩ端子がどれかという情報である。
【００３２】
また、ＨＤＭＩ端子１２１ａ〜１２１ｃに接続された外部機器の種類情報とは、ＨＤＭＩ端子１２１ａ〜１２１ｃに接続された外部機器が、情報端末であるか否かを示す情報である。
【００３３】
制御部１２２は、例えば、ＨＤＭＩ端子１２１ａ〜１２１ｃに接続された外部機器から送られてくる映像信号のブランキング期間に挿入されたコンテンツ識別情報および映像信号のフォーマットに基づいて、外部機器が情報端末であるか否かを判別する。
【００３４】
図２は、映像信号のブランキング期間に挿入されるＡＶＩ(Auxiliary Video Information)InfoFrameパケットのデータ構造を示している。ＨＤＭＩでは、当該ＡＶＩInfoFrameパケットにより、画像に関する付帯情報をソース機器からシンク機器に伝送可能となっている。
【００３５】
コンテンツ識別情報は、図２に示すように、ＡＶＩ InfoFrameパケットの６バイト目（Data Byte3）におけるＣＡの１ビットと、その８バイト目（Data Byte5）におけるＣＴ１，ＣＴ０の２ビットとに、階層的に配置されている。
【００３６】
１ビットのデータであるＣＡは、動画コンテンツであるか否かを識別する。ここで、ＣＡ＝０であるときは、通常の動画コンテンツを示し、ＣＡ＝１であるときは、通常の動画コンテンツでないことを示す。２ビットのデータであるＣＴ１，ＣＴ０は、ＣＡ＝１であるとき有効（Active）となる。つまり、ＣＴ１，ＣＴ０は、ＣＡにより通常の動画コンテンツでないと判別されるとき、さらに使用されるものである。
【００３７】
このＣＴ１，ＣＴ０により、テキストコンテンツ、フォトグラフコンテンツ、シネマコンテンツ、ゲームコンテンツの４つのコンテンツの識別が可能とされている。すなわち、ＣＴ１＝０，ＣＴ０＝０であるとき、テキストコンテンツを示す。ＣＴ１＝０，ＣＴ０＝１であるとき、フォトグラフ（静止画）コンテンツを示す。ＣＴ１＝１，ＣＴ０＝０であるとき、シネマコンテンツを示す。ＣＴ１＝１，ＣＴ０＝１であるとき、ゲームコンテンツを示す。
【００３８】
ここで、テキストコンテンツとは、一般的なＩＴ(Information Technology)コンテンツを意味している。フォトグラフコンテンツとは、静止画のコンテンツを意味している。シネマコンテンツとは、映画やホームビデオのコンテンツを意味している。ゲームコンテンツとは、ＰＣまたはゲームコンソールビデオのコンテンツを意味している。
【００３９】
図３のフローチャートは、制御部１２２における判別処理を示している。
【００４０】
制御部１２２は、ステップＳＴ１において、処理を開始し、その後に、ステップＳＴ２の処理に移る。このステップＳＴ２において、制御部１２２は、ＡＶＩ InfoFrameパケット６バイト目（Data Byte3）におけるＣＡの１ビットが１であるか否かを判断する。ＣＡ＝１でないとき、制御部１２２は、ステップＳＴ３において、映像信号のフォーマットを判定し、非情報端末で使用されるフォーマットであるか否かを判断する。制御部１２２は、例えば、映像信号のフォーマットが、図４に示すようなＥＩＡ／ＣＥＡ−８６１で規定されているフォーマットである場合には、非情報端末で使用されるフォーマットであると判断する。
【００４１】
非情報端末で使用されるフォーマットであると判断するとき、制御部１２２は、ステップＳＴ４において、外部機器（ソース機器）は非情報端末であると判別し、その後に、ステップＳＴ５において、判別処理を終了する。一方、非情報端末で使用されるフォーマットでないと判断するとき、制御部１２２は、ステップＳＴ６において、外部機器（ソース機器）は情報端末であると判別し、その後に、ステップＳＴ５において、判別処理を終了する。
【００４２】
また、上述のステップＳＴ２でＣＡ＝１であると判断するとき、制御部１２２は、ステップＳＴ７の処理に移る。このステップＳＴ７において、制御部１２２は、ＡＶＩ InfoFrameパケット８バイト目（Data Byte5）におけるＣＴ１，ＣＴ０の２ビットに基づいて、映像信号がテキストコンテンツであるか否かを判断する。すなわち、制御部１２２は、ＣＴ１＝０，ＣＴ０＝０であるか否かを判断する。
【００４３】
テキストコンテンツであると判断するとき、制御部１２２は、ステップＳＴ６において、外部機器（ソース機器）は情報端末であると判別し、その後に、ステップＳＴ５において、判別処理を終了する。一方、テキストコンテンツでないと判断するとき、ステップＳＴ４において、外部機器（ソース機器）は非情報端末であると判別し、その後に、ステップＳＴ５において、判別処理を終了する。
【００４４】
また、制御部１２２は、例えば、映像信号のブランキング期間に挿入された機器種類の情報に基づいて、外部機器が情報端末であるか否かを判別する。
【００４５】
図５は、映像信号のブランキング期間に挿入されるＳＰＤ(Source Product Description) InfoFrameパケットのデータ構造を示している。このＳＰＤ InfoFrameパケットにおいては、ＤａｔａＢｙｔｅ１からＤａｔａＢｙｔｅ８まではＶＥＮＤＯＲ  ＮＡＭＥ ＣＨＡＲＡＣＴＥＲ（ベンダーネーム）領域とされており、この領域を用いてベンダー情報が格納される。また、ＤａｔａＢｙｔｅ９からＤａｔａＢｙｔｅ２４まではＰｒｏｄｕｃｔＤｅｓｃｒｉｐｔ Ｃｈａｒａｃｔｅｒ（モデルナンバー）領域とされている。さらに、ＤａｔａＢｙｔｅ２５は、Ｓｏｕｒｃｅ．Ｄｅｖｉｃｅ．Ｉｎｆｏｒｍａｔｉｏｎ（ソース機器種類）領域とされている。このソース機器種類領域には、図６に示すように、ソース機器種類を示すコードが格納される。
【００４６】
制御部１２２は、上述したＳＰＤ InfoFrameパケットのソース機器種類領域に記載されるソース機器種類を示すコードに基づいて、外部機器（ソース機器）が情報端末であるか否かを判別できる。例えば、ソース機器種類を示すコードが「０９ｈ」であるとき、外部機器は情報端末であると判別する。
【００４７】
また、ＨＤＭＩ端子１２１ａ〜１２１ｃに接続された外部機器から送信されるベンダー情報とは、例えば、外部機器から以下のようにして送られてくるものである。例えば、外部機器からＣＥＣラインを通じて送られてくるＣＥＣベンダーコマンドに含まれている。また、例えば、映像信号のブランキング期間に挿入されて送られてくる上述したＳＰＤ InfoFrameパケットのベンダーネーム領域に記載されている。
【００４８】
図１に戻って、ＨＤＭＩスイッチャ１２４は、制御部１２２の制御のもと、ＨＤＭＩ端子１２１ａ〜１２１ｃをＨＤＭＩ受信部１２５に選択的に接続する。制御部１２２におけるＨＤＭＩスイッチャ１２４の制御処理の詳細は後述する。
【００４９】
ＨＤＭＩ受信部１２５は、ＨＤＭＩスイッチャ１２４を介して、ＨＤＭＩ端子１２１ａ〜１２１ｃのいずれかに選択的に接続されている。このＨＤＭＩ受信部１２５は、ＨＤＭＩに準拠した通信により、ＨＤＭＩ端子１２１ａ〜１２１ｃに接続されている外部機器（ソース機器）から一方向に送信されてくるベースバンドの映像と音声のデータを受信する。このＨＤＭＩ受信部１２５の詳細は後述する。
【００５０】
この場合、ＨＤＭＩ受信部１２５は、外部機器との間で互いにＨＤＣＰ（High-bandwidth Digital Content Protection system）の認証を行った後に、上述したように当該外部機器から映像と音声のデータを受信する。図７は、ソース機器におけるＨＤＭＩ送信部（ＨＤＭＩＴｘ）とシンク機器におけるＨＤＭＩ受信部（ＨＤＭＩ Ｒｘ）との間で行われるＨＤＣＰの認証処理の工程を示している。なお、このＨＤＣＰの認証は、後述するＤＤＣを用いたＩＩＣ通信により行われる。
【００５１】
まず、ＨＤＭＩ受信部からＨＤＭＩ送信部にリセット信号（Reset）が送られ、続いてＨＤＭＩ受信部からＨＤＭＩ送信部にＲｘ側対応信号リスト（ＥＤＩＤ）が送られる。続いて、ＨＤＭＩ送信部からＨＤＭＩ受信部に鍵生成用乱数Ａｎが送られ、さらに、ＨＤＭＩ送信部からＨＤＭＩ受信部にＴｘ側公開鍵ＡＫＳＶが送られる。そして、ＨＤＭＩ受信部からＨＤＭＩ送信部にＲｘ側公開鍵ＢＫＳＶが送られて、ＨＤＣＰの認証処理が行われる。
【００５２】
この認証処理の後に、ＨＤＭＩ送信部からＨＤＭＩ受信部に暗号化された映像および音声のデータを送出することが開始される。ＨＤＭＩ受信部側では受信した映像データ（映像信号）に基づいて、そのフォーマットを判定できる。
【００５３】
高速データラインインタフェース１２６は、ＨＤＭＩケーブルの所定ライン（この実施の形態においては、リザーブライン、ＨＰＤライン）により構成された双方向通信路のインタフェースである。高速データラインインタフェース１２６は、外部機器（ソース機器）との間で双方向通信を行う通信部を構成している。この高速データラインインタフェース１２６の詳細は後述する。
【００５４】
ビデオ・オーディオスイッチャ１２９は、アナログ映像入力端子１２８-1〜１２８-n、アナログ音声入力端子１２７-1〜１２７-nに入力される映像と音声の信号から、選択的に、１系統の映像と音声の信号を取り出して出力する。
【００５５】
チューナ１３１は、ＢＳ（Broadcasting Satellite）放送、地上波デジタル放送等を受信し、ユーザ操作で選局された番組の映像と音声のデータを出力する。このチューナ１３１には、アンテナ端子１３０に接続された図示しないアンテナで捕らえられた放送信号が供給される。
【００５６】
映像信号処理部１３２は、ＨＤＭＩ受信部１２５から出力される映像信号、ビデオ・オーディオスイッチャ１２９から出力される映像信号、チューナ１３１から出力される映像信号のうち、ユーザの選択操作に基づいて選択された画像表示用の映像信号に対して、必要に応じてマルチ画面処理、グラフィックスデータの重畳処理等を行う。また、この映像信号処理部１３２は、処理後の映像信号に基づいて、表示パネル１３３を駆動する。表示パネル１３３は、例えば、ＬＣＤ(Liquid Crystal Display)、ＰＤＰ(Plasma DisplayPanel)等で構成されている。
【００５７】
音声信号処理部１３４は、ＨＤＭＩ受信部１２５から出力される音声信号、ビデオ・オーディオスイッチャ１２９から出力される音声信号、チューナ１３１から出力される音声信号のうち、ユーザの選択操作に基づいて選択された音声出力用の音声信号に対してＤ／Ａ変換、増幅等の必要な処理を行ってスピーカ１３５に供給する。
【００５８】
図１に示すＡＶシステム１００の動作を説明する。
【００５９】
ＨＤＭＩ受信部１２５には、ＨＤＭＩスイッチャ１２４で選択されたＨＤＭＩ端子に接続されている外部機器（ソース機器）から、ＨＤＣＰの認証処理（図７参照）後に、ベースバンドの映像と音声のデータが送信されてくる。例えば、ＨＤＭＩ受信部１２５がＨＤＭＩ端子１２１ａに接続された場合には、このＨＤＭＩ端子１２１ａにＨＤＭＩケーブル１３０ａで接続されたＤＶＤレコーダ１１０ＡのＨＤＭＩ送信部１１１とＨＤＭＩ受信部１２５との間で互いに認証が行われた後、ＤＶＤレコーダ１１０Ａで再生された映像と音声のデータが、暗号化されてＨＤＭＭＩ受信部１２５に送られる。
【００６０】
ＨＤＭＩ受信部１２５では、受信された映像と音声のデータに対して暗号の復号等の処理が行われて、映像および音声のデータが出力される。ＨＤＭＩ受信部１２５から出力される映像データは映像信号処理部１３２に供給される。また、ＨＤＭＩ受信部１２５から出力される音声データは音声信号処理部１３４に供給される。
【００６１】
また、アナログ映像入力端子１２８-1〜１２８-nに入力されたアナログ映像信号、およびアナログ音声入力端子１２７-1〜１２７-nに入力されたアナログ音声信号は、ビデオ・オーディオスイッチャ１２９に供給され、このビデオ・オーディオスイッチャ１２９で１系統の映像および音声の信号が選択されて出力される。ビデオ・オーディオスイッチャ１２９から出力される映像信号は映像信号処理部１３２に供給される。また、ビデオ・オーディオスイッチャ１２９から出力される音声信号は音声信号処理部１３４に供給される。
【００６２】
また、アンテナ端子１３０に入力された放送信号はチューナ１３１に供給される。チューナ１３１では、放送信号に基づいて、所定の番組の映像および音声のデータが取得される。チューナ１３１から出力される映像データは映像信号処理部１３２に供給される。また、チューナ１３１から出力される音声データは音声信号処理部１３４に供給される。
【００６３】
映像信号処理部１３２では、ＨＤＭＩ受信部１２５から出力される映像信号、ビデオ・オーディオスイッチャ１２９から出力される映像信号、チューナ１３１から出力される映像信号のうち、ユーザの選択操作に基づいて画像表示用の映像信号が選択される。そして、この映像信号処理部１３２では、選択された映像信号に対して、必要に応じてマルチ画面処理、グラフィックスデータの重畳処理等が行われ、処理後の映像信号に基づいて表示パネル１３３が駆動される。そのため、表示パネル１３３には、ユーザの選択操作に基づいて選択された画像表示用の映像信号による画像が表示される。
【００６４】
例えば、ユーザがＨＤＭＩ端子１２１ａに接続されたＤＶＤレコーダ１１０Ａから出力される映像信号を画像表示用の映像信号に選択した場合、ＨＤＭＩスイッチャ１２４ではＨＤＭＩ端子１２１ａが選択され、映像信号処理部１３２ではＨＤＭＩ受信部１２５から出力される映像信号が選択され、表示パネル１３３にはＤＶＤレコーダ１１０Ａから出力される映像信号による画像（再生画像）が表示される。
【００６５】
また、例えば、ユーザがアナログ映像入力端子１２８-1〜１２８-nのうち所定のアナログ映像入力端子に入力される映像信号を画像表示用の映像信号に選択した場合、ビデオ・オーディオスイッチャ１２９では当該所定のアナログ映像入力端子が選択され、映像信号処理部１３２ではビデオ・オーディオスイッチャ１２９から出力される映像信号が選択され、表示パネル１３３には所定のアナログ映像入力端子に入力されたアナログ映像信号による画像が表示される。
【００６６】
また、例えば、ユーザがチューナ１３１から出力される映像信号を画像表示用の映像信号に選択した場合、映像信号処理部１３２ではチューナ１３１から出力される映像信号が選択され、表示パネル１３３にはチューナ１３１から出力された所定番組の映像信号による画像が表示される。
【００６７】
図８は、図１のＡＶシステム１００における、ＤＶＤレコーダ１１０ＡのＨＤＭＩ送信部（ＨＤＭＩソース）１１２と、テレビ受信機１２０のＨＤＭＩ受信部（ＨＤＭＩシンク）１２５の構成例を示している。なお、ゲーム機１１０ＢおよびＢＤレコーダ１１０ＣのＨＤＭＩ送信部については、ＤＶＤレコーダ１１０ＡのＨＤＭＩ送信部１１２と同様に構成されているので、その説明は省略する。
【００６８】
ＨＤＭＩ送信部１１２は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部１２５に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部１２５に一方向に送信する。
【００６９】
すなわち、ＨＤＭＩ送信部１１２は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル１３０ａを介して接続されているＨＤＭＩ受信部１２５に、一方向にシリアル伝送する。
【００７０】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル１３０ａを介して接続されているＨＤＭＩ受信部１２５に、一方向にシリアル伝送する。
【００７１】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル１３０ａを介して接続されているＨＤＭＩ受信部１２５に送信する。ここで、１つのＴＭＤＳチャネル＃ｉ（ｉ＝０，１，２）では、ピクセルクロックの１クロックの間に、１０ビットの画素データが送信される。
【００７２】
ＨＤＭＩ受信部１２５は、アクティブビデオ区間において、複数のチャネルで、ＨＤＭＩ送信部１１２から一方向に送信されてくる、画素データに対応する差動信号を受信するとともに、水平帰線区間または垂直帰線区間において、複数のチャネルで、ＨＤＭＩ送信部１１２から一方向に送信されてくる、音声データや制御データに対応する差動信号を受信する。
【００７３】
すなわち、ＨＤＭＩ受信部１２５は、レシーバ８２を有する。レシーバ８２は、ＴＭＤＳチャネル＃０，＃１，＃２で、ＨＤＭＩケーブル１３０ａを介して接続されているＨＤＭＩ送信部１１２から一方向に送信されてくる、画素データに対応する差動信号と、音声データや制御データに対応する差動信号を、同じくＨＤＭＩ送信部１１２からＴＭＤＳクロックチャネルで送信されてくるピクセルクロックに同期して受信する。
【００７４】
ＨＤＭＩ送信部１１２とＨＤＭＩ受信部１２５とからなるＨＤＭＩシステムの伝送チャネルには、ＨＤＭＩ送信部１１２からＨＤＭＩ受信部１２５に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００７５】
ＤＤＣ８３は、ＨＤＭＩケーブル１３０ａに含まれる図示せぬ２本の信号線からなり、ＨＤＭＩ送信部１１２が、ＨＤＭＩケーブル１３０ａを介して接続されたＨＤＭＩ受信部１２５から、Ｅ−ＥＤＩＤ（Enhanced Extended Display Identification Data）を読み出す等のために使用される。
【００７６】
すなわち、ＨＤＭＩ送信部１１２は、ＨＤＭＩレシーバ８２の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部１１２は、ＨＤＭＩケーブル１３０ａを介して接続されているＨＤＭＩ受信部１２５から、当該ＨＤＭＩ受信部１２５のＥ−ＥＤＩＤを、ＤＤＣ８３を介して読み出し、そのＥ−ＥＤＩＤに基づき、例えば、ＨＤＭＩ受信部１２５を有する電子機器が対応している画像のフォーマット（プロファイル）、例えば、ＲＧＢ、ＹＣbＣr４：４：４、ＹＣbＣr４：２：２等を認識する。
【００７７】
ＣＥＣライン８４は、ＨＤＭＩケーブル１３０ａに含まれる１本の信号線からなり、ＨＤＭＩ送信部１１２とＨＤＭＩ受信部１２５との間で、制御用のデータの双方向通信を行うために用いられる。
【００７８】
また、ＨＤＭＩケーブル１３０ａには、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル１３０ａには、ソース機器からシンク機器に電源を供給するために用いられるライン８７が含まれている。さらに、ＨＤＭＩケーブル１３０ａには、リザーブライン８８が含まれている。
【００７９】
図９は、ＨＤＭＩの３つのＴＭＤＳチャネル＃０，＃１，＃２で各種の伝送データが伝送される伝送区間（期間）の例を示している。なお、図９は、ＴＭＤＳチャネル＃０，＃１，＃２において、横×縦が７２０×４８０画素のプログレッシブの画像が伝送される場合の、各種の伝送データの区間を示している。
【００８０】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００８１】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００８２】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００８３】
データアイランド区間およびコントロール区間は、水平ブランキング期間および垂直ブランキング期間に割り当てられる。このデータアイランド区間およびコントロール区間では、補助データ（Auxiliary data）が伝送される。
【００８４】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００８５】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００８６】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。上述したＡＶＩ InfoFrameパケットおよびＳＰＤ InfoFrameパケットは、データアイランド区間に配置されている。
【００８７】
図１０は、ＨＤＭＩ端子２９，３１のピン配列を示している。このピン配列はタイプＡ（type-A）と呼ばれている。
【００８８】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００８９】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００９０】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【００９１】
図１１は、図１のＡＶシステム１００における、ＤＶＤレコーダ１１０Ａの高速データラインインタフェース１１３と、テレビ受信機１２０の高速データラインインタフェース１２６の構成例を示している。なお、ゲーム機１１０ＢおよびＢＤレコーダ１１０Ｃの高速データラインインタフェースについては、ＤＶＤレコーダ１１０Ａの高速データラインインタフェース１１３と同様に構成されているので、その説明は省略する。
【００９２】
高速データラインインタフェース１１３，１２６は、ＬＡＮ(Local Area Network)通信を行う通信部を構成する。この通信部は、ＨＤＭＩケーブル１３０ａを構成する複数のラインのうち、１対の差動ライン、この実施の形態においては、空き（Reserve）ピン（１４ピン）に対応したリザーブライン（Ether−ライン）、およびＨＰＤピン（１９ピン）に対応したＨＰＤライン（Ether＋ライン）により構成された双方向通信路を用いて、通信を行う。
【００９３】
ＤＶＤレコーダ１１０Ａは、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース１１３は、ＬＡＮ信号送信回路４１１、終端抵抗４１２、ＡＣ結合容量４１３，４１４、ＬＡＮ信号受信回路４１５、減算回路４１６により構成されている。
【００９４】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【００９５】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる
【００９６】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414は制御部（図示せず）に供給される。
【００９７】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、制御部（図示せず）に供給される。
【００９８】
テレビ受信機１２０は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース１２６は、ＬＡＮ信号送信回路４４１、終端抵抗４４２、ＡＣ結合容量４４３，４４４、ＬＡＮ信号受信回路４４５、減算回路４４６により構成されている。
【００９９】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１００】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１０１】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１０２】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、制御部１２２に供給される。
【０１０３】
ＨＤＭＩケーブル１３０ａに含まれるリザーブライン５０１およびＨＰＤライン５０２は、差動ツイストペアを構成している。リザーブライン５０１のソース側端５１１はＨＤＭＩ端子１１１ａの１４ピンに接続され、当該リザーブライン５０１のシンク側端５２１はＨＤＭＩ端子１２１ａの１４ピンに接続される。また、ＨＰＤライン５０２のソース側端５１２はＨＤＭＩ端子１１１ａの１９ピンに接続され、当該ＨＰＤライン５０２のシンク側端５２２はＨＤＭＩ端子１２１ａの１９ピンに接続される。
【０１０４】
ＤＶＤレコーダ１１０Ａにおいて、上述したプルアップ抵抗４２１とＡＣ結合容量４１３の互いの接続点Ｑ１はＨＤＭＩ端子１１１ａの１４ピンに接続され、また、上述したプルダウン抵抗４３１とＡＣ結合容量４１４の互いの接続点Ｑ２はＨＤＭＩ端子１１１ａの１９ピンに接続される。一方、テレビ受信機１２０において、上述したプルダウン抵抗４５１とＡＣ結合容量４４３の互いの接続点Ｑ３はＨＤＭＩ端子１２１ａの１４ピンに接続され、また、上述したチョークコイル４６１とＡＣ結合容量４４４の互いの接続点Ｑ４はＨＤＭＩ端子１２１ａの１９ピンに接続される。
【０１０５】
次に、上述したように構成された高速データラインインタフェース１１３，１２６によるＬＡＮ通信の動作を説明する。
【０１０６】
ＤＶＤレコーダ１１０Ａにおいて、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブル１３０ａの１対のライン（リザーブライン５０１、ＨＰＤライン５０２）を通じて、テレビ受信機１２０に送信される。
【０１０７】
また、テレビ受信機１２０において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブル１３０ａの１対のライン（リザーブライン５０１、ＨＰＤライン５０２）を通じて、ＤＶＤレコーダ１１０Ａに送信される。
【０１０８】
また、ＤＶＤレコーダ１１０Ａにおいて、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにテレビ受信機１２０から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、テレビ受信機１２０の送信信号（送信データ）ＳＧ417に対応したものとなる。
【０１０９】
また、テレビ受信機１２０において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにＤＶＤレコーダ１１０Ａから送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ＤＶＤレコーダ１１０Ａの送信信号（送信データ）ＳＧ411に対応したものとなる。
【０１１０】
このように、ＤＶＤレコーダ１１０Ａの高速データラインインタフェース１１３と、テレビ受信機１２０の高速データラインインタフェース１２６との間では、双方向のＬＡＮ通信を行うことができる。
【０１１１】
なお、図１１において、ＨＰＤライン５０２は、上述のＬＡＮ通信の他に、ＤＣバイアスレベルで、ＨＤＭＩケーブル１３０ａがテレビ受信機１２０に接続されたことをＤＶＤレコーダ１１０Ａに伝達する。すなわち、テレビ受信機１２０内の抵抗４６２，４６３とチョークコイル４６１は、ＨＤＭＩケーブル１３０ａがテレビ受信機１２０に接続されるとき、ＨＰＤライン５０２を、ＨＤＭＩ端子１２１ａの１９ピンを介して、約４Ｖにバイアスする。ＤＶＤレコーダ１１０Ａは、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１１２】
ＨＤＭＩ端子１１１ａの１９ピンの電圧は、ＨＤＭＩケーブル１３０ａがテレビ受信機１２０に接続されていなければ、プルダウン抵抗４３１が存在するために基準電圧Ｖref2より低く、逆に、ＨＤＭＩケーブル１３０ａがテレビ受信機１２０に接続されていれば基準電圧Ｖref2より高い。したがって、比較器４３４の出力信号ＳＧ415は、ＨＤＭＩケーブル１３０ａがテレビ受信機１２０に接続されているときは高レベルとなり、そうでないときは低レベルとなる。これにより、ＤＶＤレコーダ１１０Ａの制御部（図示せず）は、比較器４３４の出力信号ＳＧ415に基づいて、ＨＤＭＩケーブル１３０ａがテレビ受信機１２０に接続されたか否かを認識できる。
【０１１３】
また、図１１において、リザーブライン５０１のＤＣバイアス電位で、ＨＤＭＩケーブル１３０ａの両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１１４】
上述したように、ＤＶＤレコーダ１１０Ａはリザーブライン５０１を抵抗４２１でプルアップ（＋５Ｖ）し、テレビ受信機１２０はリザーブライン５０１を抵抗４５１でプルダウンする。抵抗４２１，４５１は、ｅ−ＨＤＭＩ非対応機器には存在しない。
【０１１５】
ＤＶＤレコーダ１１０Ａは、上述したように、比較器４２４で、抵抗４２２および容量４２３からなるローパスフィルタを通過したリザーブライン５０１のＤＣ電位を基準電圧Ｖref1と比較する。テレビ受信機１２０が、ｅ−ＨＤＭＩ対応機器でプルダウン抵抗４５１があるときには、リザーブライン５０１の電圧が２．５Ｖとなる。しかし、テレビ受信機１２０が、ｅ−ＨＤＭＩ非対応機器でプルダウン抵抗４５１がないときには、リザーブライン５０１の電圧がプルアップ抵抗４２１の存在により５Ｖとなる。
【０１１６】
そのため、基準電圧Ｖref1が例えば３．７５Ｖとされることで、比較器４２４の出力信号ＳＧ414は、テレビ受信機１２０がｅ−ＨＤＭＩ対応機器であるときは低レベルとなり、そうでないときは高レベルとなる。これにより、ＤＶＤレコーダ１１０Ａの制御部（図示せず）は、比較器４２４の出力信号ＳＧ414に基づいて、テレビ受信機１２０がｅ−ＨＤＭＩ対応機器であるか否かを認識できる。
【０１１７】
同様に、テレビ受信機１２０は、上述したように、比較器４５４で、抵抗４５２および容量４５３からなるローパスフィルタを通過したリザーブライン５０１のＤＣ電位を基準電圧Ｖref3と比較する。ＤＶＤレコーダ１１０Ａが、ｅ−ＨＤＭＩ対応機器でプルアップ抵抗４２１があるときには、リザーブライン５０１の電圧が２．５Ｖとなる。しかし、ＤＶＤレコーダ１１０Ａが、ｅ−ＨＤＭＩ非対応機器でプルアップ抵抗４２１がないときには、リザーブライン５０１の電圧がプルダウン抵抗４５１の存在により０Ｖとなる。
【０１１８】
そのため、基準電圧Ｖref3が例えば１．２５Ｖとされることで、比較器４５４の出力信号ＳＧ416は、ＤＶＤレコーダ１１０Ａがｅ−ＨＤＭＩ対応機器であるときは高レベルとなり、そうでないときは低レベルとなる。これにより、テレビ受信機１２０の制御部１２２は、比較器４５４の出力信号ＳＧ416に基づいて、ＤＶＤレコーダ１１０Ａがｅ−ＨＤＭＩ対応機器であるか否かを認識できる。
【０１１９】
図１１に示す構成例によれば、１本のＨＤＭＩケーブル１３０ａで映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信に使わない空間的分離を行うことが可能となる。その結果、その分割によりＤＤＣに関して規定された電気的仕様と無関係にＬＡＮ通信のための回路を形成することができ、安定で確実なＬＡＮ通信が安価に実現できる。
【０１２０】
なお、図１１に示したプルアップ抵抗４２１が、ＤＶＤレコーダ１１０Ａ内ではなく、ＨＤＭＩケーブル１３０ａ内に設けられているようにしてもよい。そのような場合、プルアップ抵抗４２１の端子のそれぞれは、ＨＤＭＩケーブル１３０ａ内に設けられたラインのうち、リザーブライン５０１、および電源（電源電位）に接続されるライン（信号線）のそれぞれに接続される。
【０１２１】
さらに、図１１に示したプルダウン抵抗４５１および抵抗４６３がテレビ受信機１２０内ではなく、ＨＤＭＩケーブル１３０ａ内に設けられているようにしてもよい。そのような場合、プルダウン抵抗４５１の端子のそれぞれは、ＨＤＭＩケーブル１３０ａ内に設けられたラインのうち、リザーブライン５０１、およびグランド（基準電位）に接続されるライン（グランド線）のそれぞれに接続される。また、抵抗４６３の端子のそれぞれは、ＨＤＭＩケーブル１３０ａ内に設けられたラインのうち、ＨＰＤライン５０２、およびグランド（基準電位）に接続されるライン（グランド線）のそれぞれに接続される。
【０１２２】
次に、制御部１２２におけるＨＤＭＩスイッチャ１２４の制御処理について説明する。制御部１２２は、少なくとも、ＨＤＭＩ端子１２１ａ〜１２１ｃにおける外部機器（ソース機器）の接続情報およびユーザの画像表示のための映像信号の選択情報に基づいて、周期的に、ＨＤＭＩ端子１２１ａ〜１２１ｃの優先順位を判断する。そして、制御部１２２は、ＨＤＭＩ受信部１２５が最も優先順位が高いと判断したＨＤＭＩ端子に接続されるように、ＨＤＭＩスイッチャ１２４を制御する。この意味で、制御部１２２は、優先順位判断部と、スイッチ部を制御する制御部を構成している。
【０１２３】
図１２、図１３のフローチャートは、制御部１２２における、ＨＤＭＩスイッチャ１２４の制御処理の一例を示している。
【０１２４】
まず、制御部１２２は、ステップＳＴ１１において、制御処理を開始し、その後に、ステップＳＴ１２において、各ＨＤＭＩ端子の優先順位ポイントを０ポイントに初期化する。そして、制御部１２２は、ステップＳＴ１３において、優先ポイントの最大値ｙｙを０とし、優先ポイントの最大値ｙｙを持つＨＤＭＩ端子の端子番号ｚｚを０とする。
【０１２５】
次に、制御部１２２は、ステップＳＴ１４において、ＨＤＭＩ端子ｘｘにソース機器（外部機器）が接続されているか否かを判断する。ソース機器が接続されているとき、制御部１２２は、ステップＳＴ１５において、ＨＤＭＩ端子ｘｘの優先順位ポイントに４ポイントを加算し、その後に、ステップＳＴ１６の処理に移る。一方、ソース機器が接続されていないとき、制御部１２２は、直ちに、ステップＳＴ１６の処理に移る。
【０１２６】
このステップＳＴ１６において、制御部１２２は、ＨＤＭＩ端子ｘｘをユーザが選択しているか否か、つまり、ユーザが画像表示用の映像信号として、ＨＤＭＩ端子ｘｘに接続されているソース機器（外部機器）から出力される映像信号を選択しているか否かを判断する。ＨＤＭＩ端子ｘｘをユーザが選択しているとき、制御部１２２は、ステップＳＴ１７において、ＨＤＭＩ端子ｘｘの優先順位ポイントに２ポイントを加算し、その後に、ステップＳＴ１８の処理に移る。一方、ＨＤＭＩ端子ｘｘをユーザが選択していないとき、制御部１２２は、直ちに、ステップＳＴ１８の処理に移る。
【０１２７】
このステップＳＴ１８において、制御部１２２は、ＨＤＭＩ端子ｘｘとリンク中か否か、つまり、ＨＤＭＩ受信部１２５がＨＤＭＩ端子ｘｘに接続されたソース機器（外部機器）との間で互いに認証した状態を保持しているか否かを判断する。ＨＤＭＩ端子ｘｘとリンク中にあるとき、制御部１２２は、ステップＳＴ１９において、ＨＤＭＩ端子ｘｘの優先順位ポイントに１ポイントを加算し、その後に、ステップＳＴ２０の処理に移る。一方、ＨＤＭＩ端子ｘｘとリンク中にないとき、制御部１２２は、直ちに、ステップＳＴ２０の処理に移る。
【０１２８】
このステップＳＴ２０において、制御部１２２は、獲得優先順位ポイントは優先ポイント最大値ｙｙよりも高いか否かを判定する。獲得優先順位ポイントが優先ポイント最大値ｙｙよりも高いとき、制御部１２２は、優先ポイント最大値ｙｙを獲得優先順位ポイントとし、端子番号ｚｚをｘｘとし、その後に、ステップＳＴ２２の処理に移る。獲得優先順位ポイントが優先ポイント最大値ｙｙ以下であるとき、制御部１２２は、直ちに、ステップＳＴ２２の処理に移る。
【０１２９】
このステップＳＴ２２において、制御部１２２は、端子番号ｘｘをインクリメントし、その後に、ステップＳＴ２３の処理に移る。このステップＳＴ２３において、制御部１２２は、ＨＤＭＩ端子ｘｘが存在するか否かを判断する。ＨＤＭＩ端子ｘｘが存在するとき、ステップＳＴ１４の処理に戻り、次のＨＤＭＩ端子の優先順位ポイントを求める処理に移る。一方、ＨＤＭＩ端子ｘｘが存在しないとき、ステップＳＴ２４の処理に移る。
【０１３０】
このステップＳＴ２４において、制御部１２２は、端子番号ｚｚが現在の選択端子と異なるか否か、つまり、現在ＨＤＭＩスイッチャ１２４でＨＤＭＩ端子ｚｚが選択されているか否かを判断する。端子番号ｚｚが現在の選択端子と異なるとき、制御部１２２は、ステップＳＴ２５において、ＨＤＭＩスイッチャ１２４でＨＤＭＩ端子ｚｚを選択し、その後に、ステップＳＴ２６の処理に移る。一方、端子番号ｚｚが現在の選択端子と同じであるとき、制御部１２２は、直ちに、ステップＳＴ２６の処理に移る。
【０１３１】
このステップＳＴ２６において、制御部１２２は、１０ｍ秒が経過したか否かを判断する。そして、１０ｍ秒が経過した後、制御部１２２は、ステップＳＴ１２に戻って、次の周期の処理に移る。
【０１３２】
図１に示すＡＶシステム１００において、テレビ受信機１２０の制御部１２２が上述の図１２、図１３のフローチャートに示すようにＨＤＭＩスイッチャ１２４を制御するものにあっては、ＨＤＭＩ端子１２１ａ〜１２１ｃにおけるソース機器（外部機器）の接続情報およびユーザの画像表示映像信号の選択情報に基づいて、１０ｍ秒の周期で、各ＨＤＭＩ端子の優先順位ポイントが求められ、最も優先順位ポイントの高いＨＤＭＩ端子がＨＤＭＩ受信部１２５に接続される。したがって、ソース機器（外部機器）との間の認証が効率的に行われるようになり、出画時間が早められる。
【０１３３】
例えば、ＨＤＭＩ端子１２１ａに接続されているＤＶＤレコーダ１１０Ａからの映像信号による画像表示が行われている状態で、ＤＶＤレコーダ１１０Ａの電源がオフとされる場合を考える。なお、ＨＤＭＩ端子１２１ｂに接続されているゲーム機１１０Ｂの電源はオンとされており、ＢＤレコーダ１１０Ｃの電源はオフとされているものとする。
【０１３４】
この場合、ＨＤＭＩ端子１２１ａの獲得優先順位ポイントは３ポイント(ステップＳＴ１７の２ポイント、ステップＳＴ１９の１ポイント)となり、ＨＤＭＩ端子１２１ｂの獲得優先順位ポイントは４ポイント（ステップＳＴ１５の４ポイント）となり、ＨＤＭＩ端子１２１ｃの獲得優先順位ポイントは０ポイントとなる。
【０１３５】
そのため、ゲーム機１１０Ｂが接続されているＨＤＭＩ端子１１１ｂが、ＨＤＭＩスイッチャ１２４により、ＨＤＭＩ受信部１２５に接続される。そして、ＨＤＭＩ受信部１２５とゲーム機１１０Ｂとの間の認証処理が開始される。したがって、その後に、ユーザが当該ＨＤＭＩ端子１１１ｂに接続されているゲーム機１１０Ｂからの映像信号を画像表示映像信号に選択した場合に、当該ゲーム機１１０Ｂの出画時間が早くなる。
【０１３６】
また、図１に示すＡＶシステム１００において、テレビ受信機１２０の制御部１２２が上述の図１２、図１３のフローチャートに示すようにＨＤＭＩスイッチャ１２４を制御するものにあっては、上述の各情報の他にリンク中のソース機器（外部機器）の接続端子情報が用いられて各ＨＤＭＩ端子の優先順位ポイントが求められるものであり、ユーザがＨＤＭＩ受信部１２５とリンク中のソース機器（外部機器）からの映像信号を画像表示信号として選択した場合に、出画時間が早くなる。
【０１３７】
例えば、ＨＤＭＩ端子１２１ａに接続されているＤＶＤレコーダ１１０Ａからの映像信号による画像表示が行われている状態で、ユーザがチューナ１３１からの映像信号を画像表示信号に選択した場合を考える。なお、ＨＤＭＩ端子１２１ｂに接続されているゲーム機１１０Ｂの電源はオンとされており、ＨＤＭＩ端子１２１ｃに接続されているＢＤレコーダ１１０Ｃの電源はオフとされているものとする。
【０１３８】
この場合、ＨＤＭＩ端子１２１ａの獲得優先順位ポイントは５ポイント（ステップＳＴ１５の４ポイント、ステップＳＴ１９の１ポイント）となり、ＨＤＭＩ端子１２１ｂの獲得優先順位ポイントは４ポイント（ステップＳＴ１５の４ポイント）となり、ＨＤＭＩ端子１２１ｃの獲得優先順位ポイントは０ポイントとなる。
【０１３９】
そのため、ＤＶＤレコーダ１１０Ａが接続されているＨＤＭＩ端子１１１ａが、ＨＤＭＩスイッチャ１２４により、ＨＤＭＩ受信部１２５に接続され、認証状態がそのまま保持される。したがって、その後に、ユーザが当該ＨＤＭＩ端子１１１ａに接続されているＤＶＤレコーダ１１０Ａからの映像信号を画像表示映像信号に選択した場合に、当該ＤＶＤレコーダ１１０Ａの出画時間が早くなる。
【０１４０】
図１４、図１５のフローチャートは、制御部１２２における、ＨＤＭＩスイッチャ１２４の制御処理の他の一例を示している。
【０１４１】
まず、制御部１２２は、ステップＳＴ３１において、制御処理を開始し、その後に、ステップＳＴ３２において、各ＨＤＭＩ端子の優先順位ポイントを０ポイントに初期化する。そして、制御部１２２は、ステップＳＴ３３において、優先ポイントの最大値ｙｙを０とし、優先ポイントの最大値ｙｙを持つＨＤＭＩ端子の端子番号ｚｚを０とする。
【０１４２】
次に、制御部１２２は、ステップＳＴ３４において、ＨＤＭＩ端子ｘｘにソース機器（外部機器）が接続されているか否かを判断する。ソース機器が接続されているとき、制御部１２２は、ステップＳＴ３５において、ＨＤＭＩ端子ｘｘの優先順位ポイントに４ポイントを加算し、その後に、ステップＳＴ３６の処理に移る。一方、ソース機器が接続されていないとき、制御部１２２は、直ちに、ステップＳＴ３６の処理に移る。
【０１４３】
このステップＳＴ３６において、制御部１２２は、ＨＤＭＩ端子ｘｘをユーザが選択しているか否か、つまり、ユーザが画像表示用の映像信号として、ＨＤＭＩ端子ｘｘに接続されているソース機器（外部機器）から出力される映像信号を選択しているか否かを判断する。ＨＤＭＩ端子ｘｘをユーザが選択しているとき、制御部１２２は、ステップＳＴ３７において、ＨＤＭＩ端子ｘｘの優先順位ポイントに２ポイントを加算し、その後に、ステップＳＴ３８の処理に移る。一方、ＨＤＭＩ端子ｘｘをユーザが選択していないとき、制御部１２２は、直ちに、ステップＳＴ３８の処理に移る。
【０１４４】
このステップＳＴ３８において、制御部１２２は、ＨＤＭＩ端子ｘｘの電源が最後にオンとされたか否かを判断する。ＨＤＭＩ端子ｘｘの電源が最後にオンとされたときは、制御部１２２は、ステップＳＴ３９において、ＨＤＭＩ端子ｘｘの優先順位ポイントに１ポイントを加算し、その後に、ステップＳＴ４０の処理に移る。一方、ＨＤＭＩ端子ｘｘの電源が最後にオンとされていないときは、制御部１２２は、直ちに、ステップＳＴ４０の処理に移る。
【０１４５】
このステップＳＴ４０において、制御部１２２は、獲得優先順位ポイントは優先ポイント最大値ｙｙよりも高いか否かを判定する。獲得優先順位ポイントが優先ポイント最大値ｙｙよりも高いとき、制御部１２２は、ステップＳＴ４１において、優先ポイント最大値ｙｙを獲得優先順位ポイントとし、端子番号ｚｚをｘｘとし、その後に、ステップＳＴ４２の処理に移る。獲得優先順位ポイントが優先ポイント最大値ｙｙ以下であるとき、制御部１２２は、直ちに、ステップＳＴ４２の処理に移る。
【０１４６】
このステップＳＴ４２において、制御部１２２は、端子番号ｘｘをインクリメントし、その後に、ステップＳＴ４３の処理に移る。このステップＳＴ４３において、制御部１２２は、ＨＤＭＩ端子ｘｘが存在するか否かを判断する。ＨＤＭＩ端子ｘｘが存在するとき、ステップＳＴ４４の処理に戻り、次のＨＤＭＩ端子の優先順位ポイントを求める処理に移る。一方、ＨＤＭＩ端子ｘｘが存在しないとき、ステップＳＴ４４の処理に移る。
【０１４７】
このステップＳＴ４４において、制御部１２２は、端子番号ｚｚが現在の選択端子と異なるか否か、つまり、現在ＨＤＭＩスイッチャ１２４でＨＤＭＩ端子ｚｚが選択されているか否かを判断する。端子番号ｚｚが現在の選択端子と異なるとき、制御部１２２は、ステップＳＴ４５において、ＨＤＭＩスイッチャ１２４でＨＤＭＩ端子ｚｚを選択し、その後に、ステップＳＴ４６の処理に移る。一方、端子番号ｚｚが現在の選択端子と同じであるとき、制御部１２２は、直ちに、ステップＳＴ４６の処理に移る。
【０１４８】
このステップＳＴ４６において、制御部１２２は、１０ｍ秒が経過したか否かを判断する。そして、１０ｍ秒が経過した後、制御部１２２は、ステップＳＴ３２に戻って、次の周期の処理に移る。
【０１４９】
図１に示すＡＶシステム１００において、テレビ受信機１２０の制御部１２２が上述の図１４、図１５のフローチャートに示すようにＨＤＭＩスイッチャ１２４を制御するものにあっては、制御部１２２が上述の図１２、図１３のフローチャートに示すようにＨＤＭＩスイッチャ１２４を制御するものと同様に、ＨＤＭＩ端子１２１ａ〜１２１ｃにおけるソース機器（外部機器）の接続情報およびユーザの画像表示映像信号の選択情報に基づいて、１０ｍ秒の周期で、各ＨＤＭＩ端子の優先順位ポイントが求められ、最も優先順位ポイントの高いＨＤＭＩ端子がＨＤＭＩ受信部１２５に接続される。したがって、ソース機器（外部機器）との間の認証が効率的に行われるようになり、出画時間が早められる。
【０１５０】
また、図１に示すＡＶシステム１００において、テレビ受信機１２０の制御部１２２が上述の図１４、図１５のフローチャートに示すようにＨＤＭＩスイッチャ１２４を制御するものにあっては、上述の各情報の他に最後に電源がオンとされたソース機器（外部機器）の接続端子情報が用いられて優先順位ポイントが求められるものであり、ユーザが、最後に電源がオンとされたソース機器（外部機器）からの映像信号を画像表示信号として選択した場合に、出画時間が早くなる。
【０１５１】
例えば、ＨＤＭＩ端子１２１ａに接続されているＤＶＤレコーダ１１０Ａからの映像信号による画像表示が行われている状態で、ユーザがチューナ１３１からの映像信号を画像表示信号に選択し、その後に、ＨＤＭＩ端子１２１ｂに接続されているゲーム機１１０Ｂの電源をオンとした場合を考える。なお、ＨＤＭＩ端子１２１ｃに接続されているＢＤレコーダ１１０Ｃの電源はオフとされているものとする。
【０１５２】
この場合、ＨＤＭＩ端子１２１ａの獲得優先順位ポイントは４ポイント（ステップＳＴ３５の４ポイント）となり、ＨＤＭＩ端子１２１ｂの獲得優先順位ポイントは５ポイント（ステップＳＴ３５の４ポイント、ステップＳＴ３９の１ポイント）となり、ＨＤＭＩ端子１２１ｃの獲得優先順位ポイントは０ポイントとなる。
【０１５３】
そのため、ゲーム機１１０Ｂが接続されているＨＤＭＩ端子１１１ｂが、ＨＤＭＩスイッチャ１２４により、ＨＤＭＩ受信部１２５に接続される。そして、ＨＤＭＩ受信部１２５とゲーム機１１０Ｂとの間の認証処理が開始される。したがって、その後に、ユーザが当該ＨＤＭＩ端子１１１ｂに接続されているゲーム機１１０Ｂからの映像信号を画像表示映像信号に選択した場合に、当該ゲーム機１１０Ｂの出画時間が早くなる。
【０１５４】
図１６、図１７のフローチャートは、制御部１２２における、ＨＤＭＩスイッチャ１２４の制御処理の他の一例を示している。
【０１５５】
まず、制御部１２２は、ステップＳＴ５１において、制御処理を開始し、その後に、ステップＳＴ５２において、各ＨＤＭＩ端子の優先順位ポイントを０ポイントに初期化する。そして、制御部１２２は、ステップＳＴ５３において、優先ポイントの最大値ｙｙを０とし、優先ポイントの最大値ｙｙを持つＨＤＭＩ端子の端子番号ｚｚを０とする。
【０１５６】
次に、制御部１２２は、ステップＳＴ５４において、ＨＤＭＩ端子ｘｘにソース機器（外部機器）が接続されているか否かを判断する。ソース機器が接続されているとき、制御部１２２は、ステップＳＴ５５において、ＨＤＭＩ端子ｘｘの優先順位ポイントに８ポイントを加算し、その後に、ステップＳＴ５６の処理に移る。一方、ソース機器が接続されていないとき、制御部１２２は、直ちに、ステップＳＴ５６の処理に移る。
【０１５７】
このステップＳＴ５６において、制御部１２２は、ＨＤＭＩ端子ｘｘをユーザが選択しているか否か、つまり、ユーザが画像表示用の映像信号として、ＨＤＭＩ端子ｘｘに接続されているソース機器（外部機器）から出力される映像信号を選択しているか否かを判断する。ＨＤＭＩ端子ｘｘをユーザが選択しているとき、制御部１２２は、ステップＳＴ５７において、ＨＤＭＩ端子ｘｘの優先順位ポイントに４ポイントを加算し、その後に、ステップＳＴ５８の処理に移る。一方、ＨＤＭＩ端子ｘｘをユーザが選択していないとき、制御部１２２は、直ちに、ステップＳＴ５８の処理に移る。
【０１５８】
このステップＳＴ５８において、制御部１２２は、ＨＤＭＩ端子ｘｘに接続されているソース機器（外部機器）が、例えばパーソナルコンピュータ等の情報端末であるか否かを判断する（図３参照）。ＨＤＭＩ端子ｘｘに情報端末が接続されているときは、制御部１２２は、ステップＳＴ５９において、ＨＤＭＩ端子ｘｘの優先順位ポイントに２ポイントを加算し、その後に、ステップＳＴ６０の処理に移る。一方、ＨＤＭＩ端子ｘｘに非情報端末が接続されているときは、制御部１２２は、直ちに、ステップＳＴ６０の処理に移る。
【０１５９】
このステップＳＴ６０において、制御部１２２は、ＨＤＭＩ端子ｘｘとリンク中か否か、つまり、ＨＤＭＩ受信部１２５がＨＤＭＩ端子ｘｘに接続されたソース機器（外部機器）との間で互いに認証した状態を保持しているか否かを判断する。ＨＤＭＩ端子ｘｘとリンク中にあるとき、制御部１２２は、ステップＳＴ６１において、ＨＤＭＩ端子ｘｘの優先順位ポイントに１ポイントを加算し、その後に、ステップＳＴ６２の処理に移る。一方、ＨＤＭＩ端子ｘｘとリンク中にないとき、制御部１２２は、直ちに、ステップＳＴ６２の処理に移る。
【０１６０】
このステップＳＴ６２において、制御部１２２は、獲得優先順位ポイントは優先ポイント最大値ｙｙよりも高いか否かを判定する。獲得優先順位ポイントが優先ポイント最大値ｙｙよりも高いとき、制御部１２２は、ステップＳＴ６３において、優先ポイント最大値ｙｙを獲得優先順位ポイントとし、端子番号ｚｚをｘｘとし、その後に、ステップＳＴ６４の処理に移る。獲得優先順位ポイントが優先ポイント最大値ｙｙ以下であるとき、制御部１２２は、直ちに、ステップＳＴ６４の処理に移る。
【０１６１】
このステップＳＴ６４において、制御部１２２は、端子番号ｘｘをインクリメントし、その後に、ステップＳＴ６５の処理に移る。このステップＳＴ６５において、制御部１２２は、ＨＤＭＩ端子ｘｘが存在するか否かを判断する。ＨＤＭＩ端子ｘｘが存在するとき、ステップＳＴ５４の処理に戻り、次のＨＤＭＩ端子の優先順位ポイントを求める処理に移る。一方、ＨＤＭＩ端子ｘｘが存在しないとき、制御部１２２は、ステップＳＴ６６の処理に移る。
【０１６２】
このステップＳＴ６６において、制御部１２２は、端子番号ｚｚが現在の選択端子と異なるか否か、つまり、現在ＨＤＭＩスイッチャ１２４でＨＤＭＩ端子ｚｚが選択されているか否かを判断する。端子番号ｚｚが現在の選択端子と異なるとき、制御部１２２は、ステップＳＴ６７において、ＨＤＭＩスイッチャ１２４でＨＤＭＩ端子ｚｚを選択し、その後に、ステップＳＴ６８の処理に移る。一方、端子番号ｚｚが現在の選択端子と同じであるとき、制御部１２２は、直ちに、ステップＳＴ６８の処理に移る。
【０１６３】
このステップＳＴ６８において、制御部１２２は、１０ｍ秒が経過したか否かを判断する。そして、１０ｍ秒が経過した後、制御部１２２は、ステップＳＴ５２に戻って、次の周期の処理に移る。
【０１６４】
図１に示すＡＶシステム１００において、テレビ受信機１２０の制御部１２２が上述の図１６、図１７のフローチャートに示すようにＨＤＭＩスイッチャ１２４を制御するものにあっては、制御部１２２が上述の図１２、図１３のフローチャートに示すようにＨＤＭＩスイッチャ１２４を制御するものと同様に、ＨＤＭＩ端子１２１ａ〜１２１ｃにおけるソース機器（外部機器）の接続情報、ユーザの画像表示映像信号の選択情報およびＨＤＭＩ受信部１２５とリンク中のソース機器（外部機器）の接続端子情報に基づいて、１０ｍ秒の周期で、各ＨＤＭＩ端子の優先順位ポイントが求められ、最も優先順位ポイントの高いＨＤＭＩ端子がＨＤＭＩ受信部１２５に接続される。したがって、ソース機器（外部機器）との間の認証が効率的に行われるようになり、出画時間が早められる。
【０１６５】
また、図１に示すＡＶシステム１００において、テレビ受信機１２０の制御部１２２が上述の図１６、図１７のフローチャートに示すようにＨＤＭＩスイッチャ１２４を制御するものにあっては、上述の各情報の他に、さらに、ＨＤＭＩ端子１２１ａ〜１２１ｃに接続されるソース機器（外部機器）の種類情報が用いられて各ＨＤＭＩ端子の優先順位ポイントが求められるものであり、ユーザが、情報端末からの映像信号を画像表示信号として選択した場合に、出画時間が早くなり、情報端末として期待される出画時間の早さを確保できる。
【０１６６】
例えば、ＨＤＭＩ端子１２１ａに接続されているＤＶＤレコーダ１１０Ａからの映像信号による画像表示が行われている状態で、ユーザがチューナ１３１からの映像信号を画像表示信号に選択した場合を考える。なお、ＨＤＭＩ端子１２１ｂに接続されているゲーム機１１０Ｂの電源はオンとされていると共に情報端末として機能しており、ＨＤＭＩ端子１２１ｃに接続されているＢＤレコーダ１１０Ｃの電源はオフとされているものとする。
【０１６７】
この場合、ＨＤＭＩ端子１２１ａの獲得優先順位ポイントは９ポイント（ステップＳＴ５５の８ポイント、ステップＳＴ６１の１ポイント）となり、ＨＤＭＩ端子１２１ｂの獲得優先順位ポイントは１０ポイント（ステップＳＴ５５の８ポイント、ステップＳＴ５９の２ポイント）となり、ＨＤＭＩ端子１２１ｃの獲得優先順位ポイントは０ポイントとなる。
【０１６８】
そのため、ゲーム機１１０Ｂが接続されているＨＤＭＩ端子１１１ｂが、ＨＤＭＩスイッチャ１２４により、ＨＤＭＩ受信部１２５に接続される。そして、ＨＤＭＩ受信部１２５とゲーム機１１０Ｂとの間の認証処理が開始される。したがって、その後に、ユーザが当該ＨＤＭＩ端子１１１ｂに接続されているゲーム機（情報端末）１１０Ｂからの映像信号を画像表示映像信号に選択した場合に、当該ゲーム機１１０Ｂの出画時間が早くなる。
【０１６９】
図１８、図１９のフローチャートは、制御部１２２における、ＨＤＭＩスイッチャ１２４の制御処理の他の一例を示している。
【０１７０】
まず、制御部１２２は、ステップＳＴ７１において、制御処理を開始し、その後に、ステップＳＴ７２において、各ＨＤＭＩ端子の優先順位ポイントを０ポイントに初期化する。そして、制御部１２２は、ステップＳＴ７３において、優先ポイントの最大値ｙｙを０とし、優先ポイントの最大値ｙｙを持つＨＤＭＩ端子の端子番号ｚｚを０とする。
【０１７１】
次に、制御部１２２は、ステップＳＴ７４において、ＨＤＭＩ端子ｘｘにソース機器（外部機器）が接続されているか否かを判断する。ソース機器が接続されているとき、制御部１２２は、ステップＳＴ７５において、ＨＤＭＩ端子ｘｘの優先順位ポイントに１６ポイントを加算し、その後に、ステップＳＴ７６の処理に移る。一方、ソース機器が接続されていないとき、制御部１２２は、直ちに、ステップＳＴ７６の処理に移る。
【０１７２】
このステップＳＴ７６において、制御部１２２は、ＨＤＭＩ端子ｘｘをユーザが選択しているか否か、つまり、ユーザが画像表示用の映像信号として、ＨＤＭＩ端子ｘｘに接続されているソース機器（外部機器）から出力される映像信号を選択しているか否かを判断する。ＨＤＭＩ端子ｘｘをユーザが選択しているとき、制御部１２２は、ステップＳＴ７７において、ＨＤＭＩ端子ｘｘの優先順位ポイントに８ポイントを加算し、その後に、ステップＳＴ７８の処理に移る。一方、ＨＤＭＩ端子ｘｘをユーザが選択していないとき、制御部１２２は、直ちに、ステップＳＴ７８の処理に移る。
【０１７３】
このステップＳＴ７８において、ＨＤＭＩ端子ｘｘに特定機器が接続されているか否、つまり、ＨＤＭＩ端子ｘｘに接続されているソース機器（外部機器）が特定ベンダーの製造機器であるか否かを判断する。図２０のフローチャートは、特定機器であるか通常機器であるかの判断処理を示している。
【０１７４】
まず、制御部１２２は、ステップＳＴ１０１で処理を開始し、その後に、ステップＳＴ１０２の処理に移る。ステップＳＴ１０２において、制御部１２２は、ＨＤＭＩ端子ｘｘに接続されているソース機器（外部機器）からＣＥＣベンダーコマンドで特定ベンダーが通知されているか否かを判断する。特定ベンダー、例えば「ＡＢＣＤ」が通知されているとき、制御部１２２は、ステップＳＴ１０３で、特定機器と判別し、その後に、ステップＳＴ１０４で処理を終了する。
【０１７５】
また、ステップＳＴ１０２において特定ベンダーが通知されていないとき、制御部１２２は、ステップＳＴ１０５において、ＳＤＰ InfoFrameのベンダーネーム領域に特定ベンダー、例えば「ＡＢＣＤ」が記載されているか否かを判定する。特定ベンダーが記載されているとき、制御部１２２は、ステップＳＴ１０３において、特定機器と判別し、その後に、ステップＳＴ１０４において処理を終了する。一方、特定ベンダーが記載されていないとき、制御部１２２は、ステップＳＴ１０６において、通常機器であると判別し、その後に、ステップＳＴ１０４において処理を終了する。
【０１７６】
ＨＤＭＩ端子ｘｘに特定機器が接続されているときは、制御部１２２は、ステップＳＴ７９において、ＨＤＭＩ端子ｘｘの優先順位ポイントに４ポイントを加算し、その後に、ステップＳＴ８０の処理に移る。一方、ＨＤＭＩ端子ｘｘに特定機器が接続されていないときは、制御部１２２は、直ちに、ステップＳＴ８０の処理に移る。
【０１７７】
このステップＳＴ８０において、制御部１２２は、ＨＤＭＩ端子ｘｘに接続されているソース機器（外部機器）が、例えばパーソナルコンピュータ等の情報端末であるか否かを判断する（図３参照）。ＨＤＭＩ端子ｘｘに情報端末が接続されているときは、制御部１２２は、ステップＳＴ８１において、ＨＤＭＩ端子ｘｘの優先順位ポイントに２ポイントを加算し、その後に、ステップＳＴ８２の処理に移る。一方、ＨＤＭＩ端子ｘｘに非情報端末が接続されているときは、制御部１２２は、直ちに、ステップＳＴ８２の処理に移る。
【０１７８】
このステップＳＴ８２において、制御部１２２は、ＨＤＭＩ端子ｘｘとリンク中か否か、つまり、ＨＤＭＩ受信部１２５がＨＤＭＩ端子ｘｘに接続されたソース機器（外部機器）との間で互いに認証した状態を保持しているか否かを判断する。ＨＤＭＩ端子ｘｘとリンク中にあるとき、制御部１２２は、ステップＳＴ８３において、ＨＤＭＩ端子ｘｘの優先順位ポイントに１ポイントを加算し、その後に、ステップＳＴ８４の処理に移る。一方、ＨＤＭＩ端子ｘｘとリンク中にないとき、制御部１２２は、直ちに、ステップＳＴ８４の処理に移る。
【０１７９】
このステップＳＴ８４において、制御部１２２は、獲得優先順位ポイントが優先ポイント最大値ｙｙよりも高いか否かを判定する。獲得優先順位ポイントが優先ポイント最大値ｙｙよりも高いとき、制御部１２２は、ステップＳＴ８５において、優先ポイント最大値ｙｙを獲得優先順位ポイントとし、端子番号ｚｚをｘｘとし、その後に、ステップＳＴ８６の処理に移る。獲得優先順位ポイントが優先ポイント最大値ｙｙ以下であるとき、制御部１２２は、直ちに、ステップＳＴ８６の処理に移る。
【０１８０】
このステップＳＴ８６において、制御部１２２は、端子番号ｘｘをインクリメントし、その後に、ステップＳＴ８７の処理に移る。このステップＳＴ８７において、制御部１２２は、ＨＤＭＩ端子ｘｘが存在するか否かを判断する。ＨＤＭＩ端子ｘｘが存在するとき、ステップＳＴ７４の処理に戻り、次のＨＤＭＩ端子の優先順位ポイントを求める処理に移る。一方、ＨＤＭＩ端子ｘｘが存在しないとき、制御部１２２は、ステップＳＴ８８の処理に移る。
【０１８１】
このステップＳＴ８８において、制御部１２２は、端子番号ｚｚが現在の選択端子と異なるか否か、つまり、現在ＨＤＭＩスイッチャ１２４でＨＤＭＩ端子ｚｚが選択されているか否かを判断する。端子番号ｚｚが現在の選択端子と異なるとき、制御部１２２は、ステップＳＴ８９において、ＨＤＭＩスイッチャ１２４でＨＤＭＩ端子ｚｚを選択し、その後に、ステップＳＴ９０の処理に移る。一方、端子番号ｚｚが現在の選択端子と同じであるとき、制御部１２２は、直ちに、ステップＳＴ９０の処理に移る。
【０１８２】
このステップＳＴ９０において、制御部１２２は、１０ｍ秒が経過したか否かを判断する。そして、１０ｍ秒が経過した後、制御部１２２は、ステップＳＴ７２に戻って、次の周期の処理に移る。
【０１８３】
図１に示すＡＶシステム１００において、テレビ受信機１２０の制御部１２２が上述の図１８、図１９のフローチャートに示すようにＨＤＭＩスイッチャ１２４を制御するものにあっては、制御部１２２が上述の図１６、図１７のフローチャートに示すようにＨＤＭＩスイッチャ１２４を制御するものと同様に、ＨＤＭＩ端子１２１ａ〜１２１ｃにおけるソース機器（外部機器）の接続情報、ユーザの画像表示映像信号の選択情報、ＨＤＭＩ受信部１２５とリンク中のソース機器（外部機器）の接続端子情報およびソース機器（外部機器）の種類情報に基づいて、１０ｍ秒の周期で、各ＨＤＭＩ端子の優先順位ポイントが求められ、最も優先順位ポイントの高いＨＤＭＩ端子がＨＤＭＩ受信部１２５に接続される。したがって、ソース機器（外部機器）との間の認証が効率的に行われるようになり、出画時間が早められる。
【０１８４】
また、図１に示すＡＶシステム１００において、テレビ受信機１２０の制御部１２２が上述の図１８、図１９のフローチャートに示すようにＨＤＭＩスイッチャ１２４を制御するものにあっては、上述の各情報の他に、さらに、ＨＤＭＩ端子１２１ａ〜１２１ｃに接続されるソース機器（外部機器）のベンダー情報が用いられて、各ＨＤＭＩ端子の優先順位ポイントが求められるものであり、ユーザが、特定機器（特定ベンダーの機器）からの映像信号を画像表示信号として選択した場合に、出画時間が早くなる。
【０１８５】
例えば、ＨＤＭＩ端子１２１ａに接続されているＤＶＤレコーダ１１０Ａからの映像信号による画像表示が行われている状態で、ユーザがチューナ１３１からの映像信号を画像表示信号に選択した場合を考える。なお、ＨＤＭＩ端子１２１ｂに接続されているゲーム機１１０Ｂの電源はオンとされていると共に当該ゲーム機１１０Ｂは特定機器であり、ＨＤＭＩ端子１２１ｃに接続されているＢＤレコーダ１１０Ｃの電源はオフとされているものとする。
【０１８６】
この場合、ＨＤＭＩ端子１２１ａの獲得優先順位ポイントは１７ポイント（ステップＳＴ７５の１６ポイント、ステップＳＴ８３の１ポイント）となり、ＨＤＭＩ端子１２１ｂの獲得優先順位ポイントは２０ポイント（ステップＳＴ７５の１６ポイント、ステップＳＴ７９の４ポイント）となり、ＨＤＭＩ端子１２１ｃの獲得優先順位ポイントは０ポイントとなる。
【０１８７】
そのため、ゲーム機１１０Ｂが接続されているＨＤＭＩ端子１１１ｂが、ＨＤＭＩスイッチャ１２４により、ＨＤＭＩ受信部１２５に接続される。そして、ＨＤＭＩ受信部１２５とゲーム機１１０Ｂとの間の認証処理が開始される。したがって、その後に、ユーザが当該ＨＤＭＩ端子１１１ｂに接続されているゲーム機（情報端末）１１０Ｂからの映像信号を画像表示映像信号に選択した場合に、当該ゲーム機１１０Ｂの出画時間が早くなる。
【０１８８】
図２１、図２２のフローチャートは、制御部１２２における、ＨＤＭＩスイッチャ１２４の制御処理の他の一例を示している。
【０１８９】
まず、制御部１２２は、ステップＳＴ１１１において、制御処理を開始し、その後に、ステップＳＴ１１２において、各ＨＤＭＩ端子の優先順位ポイントを０ポイントに初期化する。そして、制御部１２２は、ステップＳＴ１１３において、優先ポイントの最大値ｙｙを０とし、優先ポイントの最大値ｙｙを持つＨＤＭＩ端子の端子番号ｚｚを０とする。
【０１９０】
次に、制御部１２２は、ステップＳＴ１１４において、ＨＤＭＩ端子ｘｘにソース機器（外部機器）が接続されているか否かを判断する。ソース機器が接続されているとき、制御部１２２は、ステップＳＴ１１５において、ＨＤＭＩ端子ｘｘの優先順位ポイントに８ポイントを加算し、その後に、ステップＳＴ１１６の処理に移る。一方、ソース機器が接続されていないとき、制御部１２２は、直ちに、ステップＳＴ１１６の処理に移る。
【０１９１】
このステップＳＴ１１６において、制御部１２２は、ＨＤＭＩ端子ｘｘをユーザが選択しているか否か、つまり、ユーザが画像表示用の映像信号として、ＨＤＭＩ端子ｘｘに接続されているソース機器（外部機器）から出力される映像信号を選択しているか否かを判断する。ＨＤＭＩ端子ｘｘをユーザが選択しているとき、制御部１２２は、ステップＳＴ１１７において、ＨＤＭＩ端子ｘｘの優先順位ポイントに４ポイントを加算し、その後に、ステップＳＴ１１８の処理に移る。一方、ＨＤＭＩ端子ｘｘをユーザが選択していないとき、制御部１２２は、直ちに、ステップＳＴ１１８の処理に移る。
【０１９２】
このステップＳＴ１１８において、制御部１２２は、ＨＤＭＩ端子ｘｘに接続されているソース機器（外部機器）が、ユーザ選択機器、つまり、ユーザが予め選択した所定のソース機器（外部機器）であるか否かを判断する。ＨＤＭＩ端子ｘｘにユーザ選択機器が接続されているときは、制御部１２２は、ステップＳＴ１１９において、ＨＤＭＩ端子ｘｘの優先順位ポイントに２ポイントを加算し、その後に、ステップＳＴ１２０の処理に移る。一方、ＨＤＭＩ端子ｘｘに非情報端末が接続されているときは、制御部１２２は、直ちに、ステップＳＴ１２０の処理に移る。
【０１９３】
このステップＳＴ１２０において、制御部１２２は、ＨＤＭＩ端子ｘｘとリンク中か否か、つまり、ＨＤＭＩ受信部１２５がＨＤＭＩ端子ｘｘに接続されたソース機器（外部機器）との間で互いに認証した状態を保持しているか否かを判断する。ＨＤＭＩ端子ｘｘとリンク中にあるとき、制御部１２２は、ステップＳＴ１２１において、ＨＤＭＩ端子ｘｘの優先順位ポイントに１ポイントを加算し、その後に、ステップＳＴ１２２の処理に移る。一方、ＨＤＭＩ端子ｘｘとリンク中にないとき、制御部１２２は、直ちに、ステップＳＴ１２２の処理に移る。
【０１９４】
このステップＳＴ１２２において、制御部１２２は、獲得優先順位ポイントは優先ポイント最大値ｙｙよりも高いか否かを判定する。獲得優先順位ポイントが優先ポイント最大値ｙｙよりも高いとき、制御部１２２は、ステップＳＴ１２３において、優先ポイント最大値ｙｙを獲得優先順位ポイントとし、端子番号ｚｚをｘｘとし、その後に、ステップＳＴ１２４の処理に移る。獲得優先順位ポイントが優先ポイント最大値ｙｙ以下であるとき、制御部１２２は、直ちに、ステップＳＴ１２４の処理に移る。
【０１９５】
このステップＳＴ１２４において、制御部１２２は、端子番号ｘｘをインクリメントし、その後に、ステップＳＴ１２５の処理に移る。このステップＳＴ１２５において、制御部１２２は、ＨＤＭＩ端子ｘｘが存在するか否かを判断する。ＨＤＭＩ端子ｘｘが存在するとき、ステップＳＴ１１４の処理に戻り、次のＨＤＭＩ端子の優先順位ポイントを求める処理に移る。一方、ＨＤＭＩ端子ｘｘが存在しないとき、制御部１２２は、ステップＳＴ１２６の処理に移る。
【０１９６】
このステップＳＴ１２６において、制御部１２２は、端子番号ｚｚが現在の選択端子と異なるか否か、つまり、現在ＨＤＭＩスイッチャ１２４でＨＤＭＩ端子ｚｚが選択されているか否かを判断する。端子番号ｚｚが現在の選択端子と異なるとき、制御部１２２は、ステップＳＴ１２７において、ＨＤＭＩスイッチャ１２４でＨＤＭＩ端子ｚｚを選択し、その後に、ステップＳＴ１２８の処理に移る。一方、端子番号ｚｚが現在の選択端子と同じであるとき、制御部１２２は、直ちに、ステップＳＴ１２８の処理に移る。
【０１９７】
このステップＳＴ１２８において、制御部１２２は、１０ｍ秒が経過したか否かを判断する。そして、１０ｍ秒が経過した後、制御部１２２は、ステップＳＴ１１２に戻って、次の周期の処理に移る。
【０１９８】
図１に示すＡＶシステム１００において、テレビ受信機１２０の制御部１２２が上述の図２１、図２２のフローチャートに示すようにＨＤＭＩスイッチャ１２４を制御するものにあっては、制御部１２２が上述の図１２、図１３のフローチャートに示すようにＨＤＭＩスイッチャ１２４を制御するものと同様に、ＨＤＭＩ端子１２１ａ〜１２１ｃにおけるソース機器（外部機器）の接続情報、ユーザの画像表示映像信号の選択情報およびＨＤＭＩ受信部１２５とリンク中のソース機器（外部機器）の接続端子情報に基づいて、１０ｍ秒の周期で、各ＨＤＭＩ端子の優先順位ポイントが求められ、最も優先順位ポイントの高いＨＤＭＩ端子がＨＤＭＩ受信部１２５に接続される。したがって、ソース機器（外部機器）との間の認証が効率的に行われるようになり、出画時間が早められる。
【０１９９】
また、図１に示すＡＶシステム１００において、テレビ受信機１２０の制御部１２２が上述の図２１、図２２のフローチャートに示すようにＨＤＭＩスイッチャ１２４を制御するものにあっては、上述の各情報の他に、さらに、ユーザが選択した所定の外部機器の情報が用いられて各ＨＤＭＩ端子の優先順位ポイントが求められるものであり、ユーザが、ユーザ選択機器からの映像信号を画像表示信号として選択した場合に、出画時間が早くなる。
【０２００】
例えば、ＨＤＭＩ端子１２１ａに接続されているＤＶＤレコーダ１１０Ａからの映像信号による画像表示が行われている状態で、ユーザがチューナ１３１からの映像信号を画像表示信号に選択した場合を考える。なお、ＨＤＭＩ端子１２１ｂに接続されているゲーム機１１０Ｂの電源はオンとされていると共に当該ゲーム機１１０Ｂはユーザ選択機器であり、ＨＤＭＩ端子１２１ｃに接続されているＢＤレコーダ１１０Ｃの電源はオフとされているものとする。
【０２０１】
この場合、ＨＤＭＩ端子１２１ａの獲得優先順位ポイントは９ポイント（ステップＳ１１５の８ポイント、ステップＳＴ１２１の１ポイント）となり、ＨＤＭＩ端子１２１ｂの獲得優先順位ポイントは１０ポイント（ステップＳＴ１１５の８ポイント、ステップＳＴ１１９の２ポイント）となり、ＨＤＭＩ端子１２１ｃの獲得優先順位ポイントは０ポイントとなる。
【０２０２】
そのため、ゲーム機１１０Ｂが接続されているＨＤＭＩ端子１１１ｂが、ＨＤＭＩスイッチャ１２４により、ＨＤＭＩ受信部１２５に接続される。そして、ＨＤＭＩ受信部１２５とゲーム機１１０Ｂとの間の認証処理が開始される。したがって、その後に、ユーザが当該ＨＤＭＩ端子１１１ｂに接続されているゲーム機（ユーザ選択機器）１１０Ｂからの映像信号を画像表示映像信号に選択した場合に、当該ゲーム機１１０Ｂの出画時間が早くなる。
【０２０３】
なお、上述実施の形態においては、ＨＤＭＩ端子１２１ａ〜１２１ｃに外部機器（ソース機器）が接続されているか否かをＨＤＭＩ端子１２１ａ〜１２１ｃの１９ピン（ＨＰＤピン）の電圧を監視する判断するものであるが、他の方法で判断するようにしてもよい。例えば、ＨＤＭＩ端子１２１ａ〜１２１ｃの部分に機械的なスイッチを取り付け、当該機械的スイッチによってＨＤＭＩケーブルの接続を検出することで判断するようにしてもよい。
【０２０４】
また、上述実施の形態においては、テレビ受信機１２０は３個のＨＤＭＩ端子１２１ａ〜１２１ｃを備えるものを示したが、ＨＤＭＩ端子の個数はこれに限定されるものではなく、２個、あるいは４個以上備えるものであってもよい。
【０２０５】
また、上述実施の形態においては、各機器を接続する伝送路として、ＨＤＭＩ規格のインタフェースを前提として説明したが、その他の同様な伝送規格にも適用可能である。また、ソース機器としてＤＶＤレコーダ、ゲーム機、ＢＤレコーダを使用し、シンク機器としてテレビ受信機を使用した例としたが、その他の同様の機能を有する電子機器を使用するものにも、この発明を同様に適用できる。
【０２０６】
また、上述実施の形態においては、電子機器間をＨＤＭＩケーブルで接続したものを示したが、この発明は、電子機器間の接続を無線で行うものにも、同様に適用できる。
【産業上の利用可能性】
【０２０７】
この発明は、外部機器との間の認証を効率的に行って出画時間を早めるものであり、複数個のＨＤＭＩ端子をＨＤＭＩスイッチャで切り換えて使用するテレビ受信機等の受信装置に適用できる。
【図面の簡単な説明】
【０２０８】
【図１】この発明の実施の形態としてのＡＶシステムの構成例を示すブロック図である。
【図２】映像信号のブランキング期間に挿入されるＡＶＩInfoFrameパケットのデータ構造を示す図である。
【図３】制御部における情報端末であるか否かの判別処理の一例を示すフローチャートである。
【図４】ＥＩＡ／ＣＥＡ−８６１で規定されている、非情報端末で使用されるフォーマットの一例を示す図である。
【図５】映像信号のブランキング期間に挿入されるＳＰＤInfoFrameパケットのデータ構造を示す図である。
【図６】Ｓｏｕｒｃｅ．Ｄｅｖｉｃｅ．Ｉｎｆｏｒｍａｔｉｏｎの構成を示す図である。
【図７】ソース機器におけるＨＤＭＩ送信部（ＨＤＭＩＴｘ）とシンク機器におけるＨＤＭＩ受信部（ＨＤＭＩ  Ｒｘ）との間で行われるＨＤＣＰの認証処理の工程を示す図である。
【図８】ＨＤＭＩ送信部（ＨＤＭＩソース）とＨＤＭＩ受信部（ＨＤＭＩシンク）の構成例を示すブロック図である。
【図９】ＴＭＤＳ伝送データの構造を示す図である。
【図１０】ＨＤＭＩ端子のピン配列（タイプＡ）を示す図である。
【図１１】ＤＶＤレコーダおよびテレビ受信機の高速データラインインタフェースの構成例を示す接続図である。
【図１２】テレビ受信機の制御部における、ＨＤＭＩスイッチャの制御処理の一例を示すフローチャート（１／２）である。
【図１３】テレビ受信機の制御部における、ＨＤＭＩスイッチャの制御処理の一例を示すフローチャート（２／２）である。
【図１４】テレビ受信機の制御部における、ＨＤＭＩスイッチャの制御処理の他の例を示すフローチャート（１／２）である。
【図１５】テレビ受信機の制御部における、ＨＤＭＩスイッチャの制御処理の他の例を示すフローチャート（２／２）である。
【図１６】テレビ受信機の制御部における、ＨＤＭＩスイッチャの制御処理の他の例を示すフローチャート（１／２）である。
【図１７】テレビ受信機の制御部における、ＨＤＭＩスイッチャの制御処理の他の例を示すフローチャート（２／２）である。
【図１８】テレビ受信機の制御部における、ＨＤＭＩスイッチャの制御処理の他の例を示すフローチャート（１／２）である。
【図１９】テレビ受信機の制御部における、ＨＤＭＩスイッチャの制御処理の他の例を示すフローチャート（２／２）である。
【図２０】制御部における特定機器であるか否かの判別処理の一例を示すフローチャートである。
【図２１】テレビ受信機の制御部における、ＨＤＭＩスイッチャの制御処理の他の例を示すフローチャート（１／２）である。
【図２２】テレビ受信機の制御部における、ＨＤＭＩスイッチャの制御処理の他の例を示すフローチャート（２／２）である。
【符号の説明】
【０２０９】
１００・・・ＡＶシステム、１１０Ａ・・・ＤＶＤレコーダ、１１０Ｂ・・・ゲーム機、１１０Ｃ・・・ＢＤレコーダ、１１１ａ〜１１１ｃ・・・ＨＤＭＩ端子、１１２点ＨＤＭＩ送信部、１１３・・・高速データラインインタフェース、１２０・・・テレビ受信機、１２１ａ〜１２１ｃ・・・ＨＤＭＩ端子、１２２・・・制御部、１２２ａ・・・ＤＲＡＭ、１２３・・・ユーザ操作部、１２４・・・ＨＤＭＩスイッチャ、１２５・・・ＨＤＭＩ受信部、１２６・・・高速データラインインタフェース、１２７-1〜１２７-n・・・アナログ音声入力端子、１２８-1〜１２８-n・・・アナログ映像入力端子、１２９・・・ビデオ・オーディオスイッチャ、１３０・・・アンテナ端子、１３０ａ〜１３０ｃ・・・ＨＤＭＩケーブル、１３１・・・チューナ、１３２・・・映像信号処理部、１３３・・・表示パネル、１３４・・・音声信号処理部、１３５・・・スピーカ
【図１】
0004530033.tif 000002
【図２】
0004530033.tif 000003
【図３】
0004530033.tif 000004
【図４】
0004530033.tif 000005
【図５】
0004530033.tif 000006
【図６】
0004530033.tif 000007
【図７】
0004530033.tif 000008
【図８】
0004530033.tif 000009
【図９】
0004530033.tif 000010
【図１０】
0004530033.tif 000011
【図１１】
0004530033.tif 000012
【図１２】
0004530033.tif 000013
【図１３】
0004530033.tif 000014
【図１４】
0004530033.tif 000015
【図１５】
0004530033.tif 000016
【図１６】
0004530033.tif 000017
【図１７】
0004530033.tif 000018
【図１８】
0004530033.tif 000019
【図１９】
0004530033.tif 000020
【図２０】
0004530033.tif 000021
【図２１】
0004530033.tif 000022
【図２２】
0004530033.tif 000023